(57)【特許請求の範囲】
【請求項１】
複数の装置から送信された音声を取得する音声取得手段と、
前記音声取得手段によって取得された前記装置毎の前記音声の周波数を取得する周波数取得手段と、
前記周波数取得手段によって取得された前記装置毎の周波数における最大音圧の周波数の差が、予め設定された第一範囲内にある場合に、前記音声の周波数を変更すると判断する変更判断手段と、
前記変更判断手段によって前記音声の周波数を変更すると判断された場合に、前記複数の装置の前記音声の周波数が互いに離間した状態となるように、前記複数の装置の前記音声のうち、少なくとも１つの前記音声の周波数を変更する周波数変更手段と、
予め設定された条件に基づいて、前記複数の装置のうち、前記周波数変更手段によって周波数が変更された前記音声である周波数変更音声を送信する対象となる前記装置を選択する装置選択手段と、
前記装置選択手段によって選択された前記装置に、前記周波数変更音声を送信する第一音声送信手段と、
前記装置選択手段によって選択された前記装置以外の装置に、前記周波数変更手段によって周波数が変更される前の前記音声を送信する第二音声送信手段と
を備えたことを特徴とする音声制御装置。
【請求項２】
前記複数の装置は、会議用の画像を送受信している装置を含み、
前記音声取得手段によって前記音声が取得される前記複数の装置のうち、前記画像を受信している前記装置を特定する特定手段を備え、
前記装置選択手段は、前記特定手段によって前記画像を受信していると特定された前記装置以外の前記装置を、前記周波数変更音声を送信する対象となる前記装置として選択することを特徴とする請求項１に記載の音声制御装置。
【請求項３】
前記複数の装置との接続種別を検出する接続種別検出手段を備え、
前記装置選択手段は、前記接続種別検出手段によって検出された前記接続種別に応じて、前記周波数変更音声を送信する対象となる前記装置を選択することを特徴とする請求項１に記載の音声制御装置。
【請求項４】
前記変更判断手段は、前記周波数取得手段によって取得された前記装置毎の周波数における最大音圧の周波数の差が、前記第一範囲内にある場合、且つ、前記装置毎の周波数における最大音圧が予め設定された所定音圧値より大きい場合に、前記音声の周波数を変更すると判断することを特徴とする請求項１から３のいずれかに記載の音声制御装置。
【請求項５】
前記周波数変更手段は、前記複数の装置の前記音声のうち、少なくとも１つの前記音声の周波数を変更する場合に、予め設定された第二範囲内の周波数に変更することを特徴とする請求項１から４のいずれかに記載の音声制御装置。
【請求項６】
音声を処理する音声制御装置において実行される音声制御方法であって、
複数の装置から送信された音声を取得する音声取得ステップと、
前記音声取得ステップによって取得された前記装置毎の前記音声の周波数を取得する周波数取得ステップと、
前記周波数取得ステップによって取得された前記装置毎の周波数における最大音圧の周波数の差が、予め設定された第一範囲内にある場合に、前記音声の周波数を変更すると判断する変更判断ステップと、
前記変更判断ステップによって前記音声の周波数を変更すると判断された場合に、前記複数の装置の前記音声の周波数が互いに離間した状態となるように、前記複数の装置の前記音声のうち、少なくとも１つの前記音声の周波数を変更する周波数変更ステップと、
予め設定された条件に基づいて、前記複数の装置のうち、前記周波数変更ステップによって周波数が変更された前記音声である周波数変更音声を送信する対象となる前記装置を選択する装置選択ステップと、
前記装置選択ステップによって選択された前記装置に、前記周波数変更音声を送信する第一音声送信ステップと、
前記装置選択ステップによって選択された前記装置以外の装置に、前記周波数変更ステップによって周波数が変更される前の前記音声を送信する第二音声送信ステップと
を備えたことを特徴とする音声制御方法。
【請求項７】
音声を処理する音声制御装置において実行される音声制御プログラムであって、
前記音声制御装置のコントローラに、
複数の装置から送信された前記音声を取得する音声取得ステップと、
前記音声取得ステップによって取得された前記装置毎の前記音声の周波数を取得する周波数取得ステップと、
前記周波数取得ステップによって取得された前記装置毎の周波数における最大音圧の周波数の差が、予め設定された第一範囲内にある場合に、前記音声の周波数を変更すると判断する変更判断ステップと、
前記変更判断ステップによって前記音声の周波数を変更すると判断された場合に、前記複数の装置の前記音声の周波数が互いに離間した状態となるように、前記複数の装置の前記音声のうち、少なくとも１つの前記音声の周波数を変更する周波数変更ステップと、
予め設定された条件に基づいて、前記複数の装置のうち、前記周波数変更ステップによって周波数が変更された前記音声である周波数変更音声を送信する対象となる前記装置を選択する装置選択ステップと、
前記装置選択ステップによって選択された前記装置に、前記周波数変更音声を送信する第一音声送信ステップと、
前記装置選択ステップによって選択された前記装置以外の装置に、前記周波数変更ステップによって周波数が変更される前の前記音声を送信する第二音声送信ステップと
を実行させることを特徴とする音声制御プログラム。
【発明の詳細な説明】
【技術分野】
【０００１】
本発明は、音声を調整可能な音声制御装置、音声制御方法、及び音声制御プログラムに関する。
【背景技術】
【０００２】
従来、会議に使用され、音声を調整可能な音声制御装置が知られている。例えば、特許文献１に記載の電子会議端末装置（音声受信装置）は、他の参加者が使用する装置から送信されたデータを受信する。電子会議端末装置は、該データに含まれる音声データの音質、音響、音量を変えて、スピーカ等から出力する。電子会議端末装置は、音声データの送信元を示すデータと、電子会議端末の使用者が故意に音質、音響、音量を変えたい場合の情報とに基づいて、音声データの音質、音響、音量を変えている。
【先行技術文献】
【特許文献】
【０００３】
【特許文献１】特開平８−１２５７６１号公報
【発明の概要】
【発明が解決しようとする課題】
【０００４】
前記従来の電子会議端末装置は、電子会議端末装置を使用している参加者のみが音質等を変えることができ、発言者の声を区別することができる。ここで、会議の参加者の中には、電子会議端末装置とは異なる種類の装置を使用する参加者がいる場合がある。この場合、電子会議端末装置とは異なる種類の装置を使用する参加者は、音質等を変更することができない。このため、電子会議端末装置とは異なる種類の装置を使用する参加者は、発言者の声を区別することが困難であるという問題点があった。
【０００５】
本発明の目的は、会議の参加者が使用する装置の種類に関わらず、発言者の声を区別し易くすることが可能な音声制御装置、音声制御方法、及び音声制御プログラムを提供することである。
【課題を解決するための手段】
【０００６】
本発明の第１の態様に係る音声制御装置は、複数の装置から送信された音声を取得する音声取得手段と、前記音声取得手段によって取得された前記装置毎の前記音声の周波数を取得する周波数取得手段と、前記周波数取得手段によって取得された前記装置毎の周波数における最大音圧の周波数の差が、予め設定された第一範囲内にある場合に、前記音声の周波数を変更すると判断する変更判断手段と、前記変更判断手段によって前記音声の周波数を変更すると判断された場合に、前記複数の装置の前記音声の周波数が互いに離間した状態となるように、前記複数の装置の前記音声のうち、少なくとも１つの前記音声の周波数を変更する周波数変更手段と、予め設定された条件に基づいて、前記複数の装置のうち、前記周波数変更手段によって周波数が変更された前記音声である周波数変更音声を送信する対象となる前記装置を選択する装置選択手段と、前記装置選択手段によって選択された前記装置に、前記周波数変更音声を送信する第一音声送信手段と、前記装置選択手段によって選択された前記装置以外の装置に、前記周波数変更手段によって周波数が変更される前の前記音声を送信する第二音声送信手段とを備えている。
【０００７】
この場合、複数の装置から送信された音声の周波数が、互いに離間した状態となるように、少なくとも１つの装置の音声の周波数が変更される。音声の周波数が離間するため、音声の周波数が重なる場合に比べて、各装置を使用する会議の参加者の声が区別し易くなる。そして、周波数が変更された周波数変更音声が、装置選択手段によって選択された装置に送信される。このため、装置選択手段によって選択された装置は、周波数変更音声を受信し、スピーカなどから出力できる。よって、装置選択手段によって選択された装置が、音声の周波数を変更する処理を行わなくても、ユーザは会議の発言者の声を区別しやすくなる。このように、音声制御装置は、装置選択手段によって選択された装置の種類に関わらず、発言者の声を区別し易くすることができる。
【０００８】
前記音声制御装置において、前記複数の装置は、会議用の画像を送受信している装置を含み、前記音声取得手段によって前記音声が取得される前記複数の装置のうち、前記画像を受信している前記装置を特定する特定手段を備え、前記装置選択手段は、前記特定手段によって前記画像を受信していると特定された前記装置以外の前記装置を、前記周波数変更音声を送信する対象となる前記装置として選択してもよい。会議用の画像を受信している装置を使用するユーザは、画像を見ながら会議を行っているため、音声を聞くだけでなく、画像も確認することで、発言者の声を区別し易い。一方、会議の画像のデータを受信していない装置のユーザは画像を見ることができないため、画像を見ながら会議をしているユーザに比べて、発言者の声を区別し難い。発言者の声を区別し難いユーザが使用する装置に対して周波数変更音声を送信することができるので、発言者の声を区別し難いユーザが、発言者の声を区別し易くなる。また、発言者の声を区別し易いユーザには、周波数を変更していない音声を送信することができる。よって、画像を見ているユーザは、周波数が変更されていない音声を聞きながら、会議を行うことができる。
【０００９】
前記音声制御装置は、前記複数の装置との接続種別を検出する接続種別検出手段を備え、前記装置選択手段は、前記接続種別検出手段によって検出された前記接続種別に応じて、前記周波数変更音声を送信する対象となる前記装置を選択してもよい。接続種別は、各ユーザが使用する装置の種類と関連している。このため、接続種別に応じて周波数変更音声を送信する対象となる装置を選択することで、例えば、発言者の声を区別し難い種類の装置に周波数変更音声を送信することができる。よって、ユーザは、発言者の声を区別し易くなる。また、発言者の声を区別し易い種類の装置には、周波数を変更していない音声を送信することができる。よって、ユーザは、周波数が変更されていない音声を聞きながら、会議を行うことができる。
【００１０】
前記音声制御装置において、前記変更判断手段は、前記周波数取得手段によって取得された前記装置毎の周波数における最大音圧の周波数の差が、前記第一範囲内にある場合、且つ、前記装置毎の周波数における最大音圧が予め設定された所定音圧値より大きい場合に、前記音声の周波数を変更すると判断してもよい。この場合、取得された音声中に発言者の声が含まれていなければ、最大音圧が所定音圧値以下になる。よって、取得された音声中に発言者の声が含まれていないにもかかわらず、周波数が変更されてしまうことが防止される。このように、発言者の声が含まれておらず、周波数を変更する必要のないときには、周波数の変更の処理が実行されない。よって、処理の負荷が低減される。また、発言者の声が含まれない音声には、雑音のみが含まれている場合がある。しかし、雑音のみの音声の場合に周波数が変更されないので、雑音のみの音声の周波数が変更されてしまい、ユーザに違和感を与えてしまうことを防止できる。
【００１１】
前記音声制御装置において、前記周波数変更手段は、前記複数の装置の前記音声のうち、少なくとも１つの前記音声の周波数を変更する場合に、予め設定された第二範囲内の周波数に変更してもよい。この場合、周波数の変更の範囲を第二範囲内にすることができる。このため、例えば、第二範囲を人の声の周波数領域に限定すれば、音声が、人の声の周波数領域より高い、或いは低い周波数の音声に変更されてしまうことを防止することができる。よって、周波数変更音声がスピーカから出力された場合に、ユーザは人の声を認識し易い。このため、発言者の声をさらに区別し易くなる。
【００１２】
本発明の第２の態様に係る音声制御方法は、音声を処理する音声制御装置において実行される音声制御方法であって、複数の装置から送信された音声を取得する音声取得ステップと、前記音声取得ステップによって取得された前記装置毎の前記音声の周波数を取得する周波数取得ステップと、前記周波数取得ステップによって取得された前記装置毎の周波数における最大音圧の周波数の差が、予め設定された第一範囲内にある場合に、前記音声の周波数を変更すると判断する変更判断ステップと、前記変更判断ステップによって前記音声の周波数を変更すると判断された場合に、前記複数の装置の前記音声の周波数が互いに離間した状態となるように、前記複数の装置の前記音声のうち、少なくとも１つの前記音声の周波数を変更する周波数変更ステップと、予め設定された条件に基づいて、前記複数の装置のうち、前記周波数変更ステップによって周波数が変更された前記音声である周波数変更音声を送信する対象となる前記装置を選択する装置選択ステップと、前記装置選択ステップによって選択された前記装置に、前記周波数変更音声を送信する第一音声送信ステップと、前記装置選択ステップによって選択された前記装置以外の装置に、前記周波数変更ステップによって周波数が変更される前の前記音声を送信する第二音声送信ステップとを備えている。この場合、装置選択ステップによって選択された装置の種類に関わらず、発言者の声を区別し易くすることができる。
【００１３】
本発明の第３の態様に係る音声制御プログラムは、音声を処理する音声制御装置において実行される音声制御プログラムであって、前記音声制御装置のコントローラに、複数の装置から送信された前記音声を取得する音声取得ステップと、前記音声取得ステップによって取得された前記装置毎の前記音声の周波数を取得する周波数取得ステップと、前記周波数取得ステップによって取得された前記装置毎の周波数における最大音圧の周波数の差が、予め設定された第一範囲内にある場合に、前記音声の周波数を変更すると判断する変更判断ステップと、前記変更判断ステップによって前記音声の周波数を変更すると判断された場合に、前記複数の装置の前記音声の周波数が互いに離間した状態となるように、前記複数の装置の前記音声のうち、少なくとも１つの前記音声の周波数を変更する周波数変更ステップと、予め設定された条件に基づいて、前記複数の装置のうち、前記周波数変更ステップによって周波数が変更された前記音声である周波数変更音声を送信する対象となる前記装置を選択する装置選択ステップと、前記装置選択ステップによって選択された前記装置に、前記周波数変更音声を送信する第一音声送信ステップと、前記装置選択ステップによって選択された前記装置以外の装置に、前記周波数変更ステップによって周波数が変更される前の前記音声を送信する第二音声送信ステップとを実行させる。この場合、装置選択ステップによって選択された装置の種類に関わらず、発言者の声を区別し易くすることができる。
【図面の簡単な説明】
【００１４】
【図１】会議システム１の構成図である。
【図２】音声制御装置１１の電気的構成を示すブロック図である。
【図３】音声６０１，６０２に発言者の声が含まれていない状態の周波数特性を示す図である。
【図４】音声６０１，６０２に発言者の声が含まれた状態の周波数特性を示す図である。
【図５】図４に示す音声６０１，６０２の周波数が変更された状態の周波数特性を示す図である。
【図６】音声６０３，６０４，６０５に発言者の声が含まれた状態の周波数特性を示す図である。
【図７】図６に示す音声６０３，６０４，６０５の周波数が変更された状態の周波数特性を示す図である。
【図８】メイン処理のフローチャートである。
【図９】音声送信処理のフローチャートである。
【図１０】接続種別データテーブル９５のデータ構成図である。
【発明を実施するための形態】
【００１５】
以下、本発明の一実施形態について、図面を参照して説明する。図１を参照し、第一実施形態に係る会議システム１の概要について説明する。会議システム１は、異なる拠点（第一拠点１０、第二拠点２０、第三拠点３０、及び第四拠点４０）間で少なくとも音声を用いる遠隔会議（以下、「音声会議」という。）を行うシステムである。会議システム１は、音声制御装置１１，１２、パーソナルコンピュータ（以下、ＰＣ）１３，２１、携帯電話１４，３１、固定電話４１を備える。音声会議を行う場合、アナログ信号やデジタル信号で音声が送受信され、処理が行われるが、以下の説明では、アナログ信号又はデジタル信号で表される音声を総称して「音声のデータ」という。
【００１６】
音声制御装置１１，１２、ＰＣ１３、携帯電話１４は第一拠点１０に設置されている。音声制御装置１２は、通信ケーブルによって音声制御装置１１にディジーチェーン接続されている。ディジーチェーン接続とは、装置を数珠つなぎに連結する接続方法である。故に、音声制御装置１１，１２以外の音声制御装置をさらにディジーチェーン接続して、音声制御装置の台数を増やすことが可能である。音声制御装置１１は、音声制御装置１２と音声のデータの送受信を行うことができる。ＰＣ１３及び携帯電話１４は、通信ケーブルによって、音声制御装置１１に接続されている。
【００１７】
ＰＣ２１は第二拠点２０に設置されている。ＰＣ２１は、インターネット網２２を介して、第一拠点１０のＰＣ１３に接続されている。ＰＣ１３は、インターネット網２２を介して、第二拠点２０のＰＣ２１と画像のデータや音声のデータ等を送受信できる。音声制御装置１１は、ＰＣ１３及びインターネット網２２を介して、ＰＣ２１と音声のデータ等を送受信できる。
【００１８】
携帯電話３１は第三拠点３０に設置されている。携帯電話３１は、携帯電話網３２（例えば、ＰＳＴＮ網）を介して、第一拠点１０の携帯電話１４に接続されている。音声制御装置１１は、携帯電話１４および携帯電話網３２を介して、携帯電話３１と音声のデータ等を送受信できる。固定電話４１は第四拠点４０に設置されている。固定電話４１は、固定電話網４２（例えば、ＰＳＴＮ網）を介して、第一拠点１０の音声制御装置１１に接続されている。音声制御装置１１は、固定電話網４２を介して、固定電話４１と音声のデータ等を送受信できる。
【００１９】
本実施形態では、第一〜第四拠点１０，２０，３０，４０の音声制御装置１１，１２、ＰＣ２１、携帯電話３１、固定電話４１が、それぞれの周囲の音声（会議に参加するユーザの声等）を集音する。音声制御装置１１，１２、ＰＣ２１、携帯電話３１、固定電話４１が集音した音声のデータは、第一拠点１０の音声制御装置１１に集められる。そして、集められた音声のデータは、音声制御装置１１のＣＰＵ１１０によって処理がなされた後、音声制御装置１１のスピーカ１１４、音声制御装置１２、ＰＣ２１、携帯電話３１、及び固定電話４１に送信され、各装置のスピーカ等から出力（再生）される。これによって、第一〜第四拠点１０，２０，３０，４０で音声会議が行われる。
【００２０】
また、ＰＣ１３は、カメラ１３１を備えており、ＰＣ２１は、カメラ２１１を備えている。ＰＣ１３は及びＰＣ２１は、それぞれの拠点１０，２０の会議中の画像を撮像し、画像のデータを互いに送受信している。ＰＣ１３，２１は、受信した画像をＰＣ１３，２１に設けられたディスプレイに表示する。これによって、ＰＣ２１を使用して音声会議を行うユーザは、会議の画像を確認しながら、音声会議を行うことができる。なお、音声制御装置１１を使用して音声会議を行うユーザは、音声制御装置１１のみを使用している場合、会議の画像は確認できない。しかし、ＰＣ１３のディスプレイを見ることで、会議の画像を確認しながら、音声会議を行うこともできる。
【００２１】
図２を参照して、音声制御装置１１の電気的構成について説明する。音声制御装置１２の電気的構成は、音声制御装置１１の電気的構成と同一である。音声制御装置１１は、音声制御装置１１の制御を司るＣＰＵ１１０を備えている。ＣＰＵ１１０は、ＲＯＭ１１１、ＲＡＭ１１２、フラッシュメモリ１１３、スピーカ１１４、マイク１１５、通信インタフェース（以下、通信Ｉ／Ｆという。）１１６、入力部１１７、および出力部１１８と電気的に接続している。
【００２２】
ＲＯＭ１１１には、ブートプログラム、ＢＩＯＳ、ＯＳ等が記憶される。ＲＡＭ１１２には、一時的なデータが記憶される。フラッシュメモリ１１３には、ＣＰＵ１１０の制御プログラムが記憶される。通信Ｉ／Ｆ１１６は、他の装置（音声制御装置１２、ＰＣ２１、携帯電話３１、固定電話４１）と通信を行うためのインタフェースである。なお、音声制御装置１１は、音声制御装置１２、ＰＣ２１、携帯電話３１、固定電話４１のそれぞれと通信を行うために複数の通信Ｉ／Ｆ１１６を備えている。入力部１１７は、ユーザが音声制御装置１１に各種指示を入力するためのボタンである。出力部１１８は、ユーザに情報を通知するための液晶ディスプレイである。スピーカ１１４は、ＣＰＵ１１０から送信された音声のデータに基づいて音声を出力（再生）する。マイク１１５は、音声を集音する。集音された音声のデータは、ＣＰＵ１１０に入力される。なお、ＣＰＵ１１０から送信された音声のデータに基づいてスピーカ１１４で音声を出力するために、デジタル信号からアナログ信号に変換するＤ／Ａコンバータが設けられているが、図示は省略している。また、マイク１１５から集音された音声のデータをＣＰＵ１１０に入力するためにアナログ信号からデジタル信号に変換するＡ／Ｄコンバータが設けられているが、図示は省略している。
【００２３】
図３〜図７を参照して、音声制御装置１１において取得される音声のデータに基づく音声の周波数、及び周波数の変更について説明する。以下の説明では、各拠点１０，２０，３０，４０のユーザが会議を行うために音声の集音や出力を行う装置（音声制御装置１１，１２、ＰＣ２１、携帯電話３１、固定電話４１）のいずれかを特定しない場合、又は、総称する場合、単に「会議装置」という。図３及び図４では、２つの会議装置で集音された音声のデータが、音声制御装置１１によって同時に取得された場合の２つの音声６０１，６０２の周波数特性を示している。図３及び図４において横軸は周波数（Ｈｚ）であり、縦軸は音圧レベル（ｄＢ）である。音声に、発言者の声が含まれていない場合、図３に示すように、音声６０１，６０２の周波数特性は、所定音圧値以下となる。所定音圧値は、Ｓ１３（後述）で取得された音声が、周囲の雑音であるか、発言者の声であるかを判断するための基準となる値であり、本実施形態では一例として、６０ｄＢに設定されている。図３では、発言者の声が含まれていないため、音声６０１，６０２は、雑音レベルとなっている。
【００２４】
音声６０１，６０２に発言者の声が含まれると、図４に示すように、音声６０１，６０２の周波数特性は、発言者の声の周波数、音圧レベルに応じた山（波形）を示し、所定音圧値より大きくなる。音声６０１及び音声６０２の周波数の違いは、発言者の声の周波数の違いを表している。音圧レベルの違いは、それぞれの会議装置が集音した発言者の声の大きさや、増幅率の違いに基づく。
【００２５】
一般的に周波数が近いほど、スピーカから出力される発言者の声が似た声になる。このため、音声会議においては、複数の会議装置の発言者の声を区別し難くなる。故に、本実施形態では最大音圧の周波数（音圧レベルが最も大きい周波数）が互いに第一範囲内にある場合に、音声６０１，６０２の周波数を変更する（図９のＳ２８、後述）。第一範囲は、複数の音声が第一範囲内に入ると発言者の声を区別し難くなる範囲に設定されており、本実施形態では一例として、２００Ｈｚであるとする。
【００２６】
ＣＰＵ１１０は、周波数を変更する場合、予め設定された第二範囲内の周波数に変更する。このとき、ＣＰＵ１１０は、第二範囲内で各音声の周波数が離間するように変更する（図９のＳ２８参照）。本実施形態では一例として、第二範囲とは、４００Ｈｚ〜３０００Ｈｚの範囲であるとする。一般的に固定電話網４２で伝送できる音声の周波数は、人の声の周波数範囲をカバーする３００Ｈｚ〜３４００Ｈｚ程度である。第二範囲（４００Ｈｚ〜３０００Ｈｚ）は、固定電話網４２で伝送できる音声の周波数内（３００Ｈｚ〜３４００Ｈｚ内）となっており、人の声として認識できる範囲の周波数である。なお、第二範囲は本実施形態の場合に限定されず、他の周波数範囲であってもよい。
【００２７】
例えば、図４に示す音声６０１，６０２の２つの周波数を変更する場合、図５に示すように、一方の音声６０１が第二範囲の下限「４００Ｈｚ」に変更され、他方の音声６０２が第二範囲の上限「３０００Ｈｚ」に変更される。これによって、２つの音声６０１，６０２の周波数が互いに離れ、２つの音声６０１，６０２を区別し易くなる。なお、変更前の音声６０１（図４参照）は、音声６０２より下限「４００Ｈｚ」に近い。このため、音声６０１が第二範囲の下限に設定されている（図５参照）。変更前の音声６０２（図４参照）は、音声６０２より上限「３０００Ｈｚ」に近い。このため、音声６０２は第二範囲の上限に設定されている（図５参照）。また、周波数の変更の処理は、公知の周波数変更方法によって行われる。
【００２８】
また、例えば、図６に示す音声６０３，６０４，６０５のうち、音声６０３，６０４は互いに第一範囲内にあり、音声６０４，６０５も互いに第一範囲内にある。このため、ＣＰＵ１１０は、各音声の周波数が離間するように変更する（図９のＳ２８参照）。３つの音声６０３，６０４，６０５の周波数を変更する場合、例えば、図７に示すように、音声６０３，６０４，６０５が第二範囲内で略等間隔になるように変更される。図６に示す例では、音声６０３の最大音圧の周波数が４００Ｈｚに変更され、音声６０４の周波数が１７００Ｈｚに変更され、音声６０５の最大音圧の周波数が３０００Ｈｚに変更されている。
【００２９】
変更前の音声６０３，６０４，６０５（図６参照）のうち、最も周波数が低いのは音声６０３であり、最も周波数が大きいのは音声６０５である。このため、音声６０３が第二範囲の下限「４００Ｈｚ」に設定され、音声６０５が第二範囲の上限「３０００Ｈｚ」に設定される（図７参照）。そして、音声６０３と音声６０５との間の周波数の音声６０４（図６参照）が、第二範囲の中間の周波数「１７００Ｈｚ」に設定されている（図７参照）。なお、上述の変更後の音声の周波数の決定方法は一例である。設定する周波数の決定方法は、予めフラッシュメモリ１１３に記憶されている。以下の説明では、周波数が変更された音声を「周波数変更音声」という。
【００３０】
図８を参照して、音声制御装置１１のＣＰＵ１１０が実行するメイン処理について説明する。メイン処理は、音声会議を行うために、各会議装置が集音した音声のデータを取得し、各種処理を行った後、各会議装置に送信する処理である。ＣＰＵ１１０は、電源がＯＮされた場合に、フラッシュメモリ１１３からメイン処理のプログラムを読み出し、メイン処理を開始する。以下の説明において、ＣＰＵ１１０が音声のデータを取得（受信）する場合とは、音声制御装置１２、ＰＣ２１、携帯電話３１、固定電話４１が集音して送信した音声のデータを受信する場合と、音声制御装置１１のマイク１１５で集音された音声の音声信号を取得する場合とを含む。また、ＣＰＵ１１０が音声のデータを送信する場合とは、音声制御装置１２、ＰＣ２１、携帯電話３１、固定電話４１に音声のデータを送信する場合と、音声制御装置１１のスピーカ１１４に音声のデータを送信する場合とを含む。
【００３１】
メイン処理では、まず、音声会議の開始の指示が入力されたか否かが判断される（Ｓ１１）。ユーザは、入力部１１７を操作して、音声会議の開始の指示を入力する。音声会議の開始の指示が入力されていない場合（Ｓ１１：ＮＯ）、Ｓ１１の処理が繰り返される。音声会議の開始の指示が入力された場合（Ｓ１１：ＹＥＳ）、画像のデータを受信している会議装置が特定される（Ｓ１２）。Ｓ１２では、会議の画像のデータを受信している会議装置を捜索する信号が、ＣＰＵ１１０から各会議装置に送信される。そして、ＰＣ２１から得られる応答信号によって、ＰＣ２１が画像のデータを受信している会議装置であることが特定される。特定された会議装置の情報は、ＲＡＭ１１２に記憶される。なお、音声制御装置１１、１２、携帯電話３１、及び固定電話４１は、画像のデータを受信していない会議装置である。
【００３２】
次いで、会議装置の音声のデータが取得（受信）されたか否かが判断される（Ｓ１３）。なお、音声制御装置１２、ＰＣ２１、携帯電話３１、及び固定電話４１で集音された音声のデータは、所定時間毎に音声制御装置１１に送信され、ＣＰＵ１１０によって取得される。また、音声制御装置１１のマイク１１５で集音された音声のデータは、常時ＣＰＵ１１０によって取得されている。取得された音声のデータはＲＡＭ１１２に記憶される。音声のデータが取得されていない場合（Ｓ１３：ＮＯ）、後述するＳ１７の処理が実行される。音声のデータが取得された場合（Ｓ１３：ＹＥＳ）、音声会議を行う複数の会議装置（音声制御装置１１，１２、ＰＣ２１、携帯電話３１、及び固定電話４１）のうち、１つの会議装置が選択される（Ｓ１４）。次いで、音声送信処理が行われる（Ｓ１５）。
【００３３】
図９を参照して音声送信処理について説明する。まず、Ｓ１３によって複数の会議装置の音声のデータが取得されたか否かが判断される（Ｓ２１）。すなわち、同時に複数の音声入力があったか否かが判断される。例えば、Ｓ１３で取得された音声が、図４に示す音声６０１，６０２であるとする。この場合、複数の会議装置の音声が取得されたと判断され（Ｓ２１：ＹＥＳ）、フラッシュメモリ１１３に記憶された予め設定された条件が参照され、Ｓ１４で選択された会議装置が、周波数変更音声を送信する対象となる会議装置であるか否かが判断される（Ｓ２２）。
【００３４】
本実施形態では、予め設定された条件とは、会議の画像のデータの受信の有無であるとする。会議の画像のデータを受信している会議装置以外の会議装置のユーザは、画像を見ることができないため、画像を見ながら会議をしているユーザに比べて、発言者の声を区別し難い。このため、本実施形態では、会議の画像のデータを受信している会議装置以外の会議装置を、周波数変更音声を送信する対象となる会議装置であると判断する。つまり、Ｓ２２の処理によって、周波数変更音声を送信する対象となる会議装置が選択されている。
【００３５】
本実施形態では、Ｓ１２で、ＰＣ２１が画像のデータを受信している会議装置であることが特定されている。一方、音声制御装置１１、１２、携帯電話３１、及び固定電話４１は、画像のデータを受信していないため、画像のデータを受信している会議装置としては特定されていない。このため、例えば、Ｓ１４で選択された会議装置が固定電話４１である場合、周波数変更音声を送信する対象となる会議装置であると判断され（Ｓ２２：ＹＥＳ）、後述するＳ２８の処理で、周波数変更音声が既に作成されているか否かが判断される（Ｓ２３）。周波数変更音声が作成されている場合（Ｓ２３：ＹＥＳ）、Ｓ２９（後述）が実行される。すなわち、Ｓ２８（後述）で既に作成された周波数変更音声が選択された会議装置に送信される。
【００３６】
周波数変更音声が作成されていない場合（Ｓ２３：ＮＯ）、Ｓ１３で取得された会議装置毎の音声の周波数が取得される（Ｓ２４）。Ｓ２４では、例えば、Ｓ１３で取得された会議装置毎の音声がフーリエ変換され、周波数特性が取得される。図４等に示す音声６０１，６０２が、フーリエ変換後の周波数特性である。
【００３７】
次いで、Ｓ２４で取得された会議装置毎の周波数における最大音圧の周波数が、会議装置毎に取得される（Ｓ２５）。例えば、図４に示す音声６０１の最大音圧の周波数「１２５０Ｈｚ」と、音声６０２の最大音圧の周波数「１３４０Ｈｚ」とが取得される（Ｓ２５）。
【００３８】
次いで、Ｓ２４で取得された会議装置毎の周波数における複数の最大音圧が、予め設定された所定音圧値（６０ｄＢ）より大きいか否かが判断される（Ｓ２６）。例えば、図４に示す音声６０１，６０２は、所定音圧値より大きい。このため、会議装置毎の周波数における最大音圧が所定音圧値より大きいと判断され（Ｓ２６：ＹＥＳ）、Ｓ２５で取得された最大音圧の周波数のうち、Ｓ２６で所定音圧値より大きいと判断された最大音圧の周波数が、互いに第一範囲内（本実施形態では、２００Ｈｚの範囲内）にあるか否かが判断される（Ｓ２７）。
【００３９】
例えば、Ｓ２５において取得された音声６０１，６０２（図４参照）の最大音圧の周波数は、「１２５０Ｈｚ」「１３４０Ｈｚ」である。これらの最大音圧の周波数の差は、９０Ｈｚである。このため、第一範囲内にあると判断され（Ｓ２７：ＹＥＳ）、複数の会議装置毎の最大音圧の周波数が互いに離間した状態となるように、複数の会議装置の音声の周波数が変更される（Ｓ２８）。Ｓ２８の処理によって、図４に示す音声６０１，６０２は、図５に示すように、周波数が変更される。なお、周波数が変更された周波数変更音声は、ＲＡＭ１１２に記憶される。
【００４０】
次いで、Ｓ２２によって選択された会議装置に、Ｓ２８によって変更された周波数変更音声のデータが送信される（Ｓ２９）。これによって、例えば、固定電話４１において周波数変更音声のデータが受信され、固定電話４１のスピーカから出力される。また、例えば、Ｓ１３において、図６に示す音声６０３，６０４，６０５が取得された場合、図７に示すように周波数が変更され（Ｓ２８）、送信される（Ｓ２９）。
【００４１】
次いで、音声送信処理が終了される。次いで、メイン処理に戻り、Ｓ２９及びＳ３０で全ての会議装置に音声のデータが送信されたか否かが判断される（Ｓ１６）。言い換えると、Ｓ１４で全ての会議装置を選択したか否かが判断される。音声のデータが送信されていない会議装置がある場合（Ｓ１６：ＮＯ）、処理はＳ１４に戻り、他の会議装置が選択される。
【００４２】
例えば、Ｓ１４でＰＣ２１が選択された場合、ＰＣ２１は画像のデータを受信しているので、周波数変更音声を送信する対象の会議装置ではないと判断される（Ｓ２２：ＮＯ）。次いで、Ｓ１３で取得された音声のデータがＳ１４で選択された会議装置に送信される（Ｓ３０）。すなわち、周波数が変更されていない音声６０１，６０２（図４参照）がＰＣ２１に送信される。ＰＣ２１は、音声のデータを受信し、ＰＣ２１のスピーカから出力する。次いで、音声送信処理が終了される。
【００４３】
また、例えば、Ｓ１３において、１つの会議装置の音声が取得された場合、Ｓ２１において複数の会議装置の音声が取得されていないと判断され（Ｓ２１：ＮＯ）、周波数が変更されていない音声のデータが送信される（Ｓ３０）。この場合、音声のデータには、１つの会議装置の音声しか含まれていないので、複数の発言者の声が重なることがなく、周波数を変更しなくても容易に発言者の声を区別できる。
【００４４】
また、例えば、Ｓ２６において、会議装置毎の周波数における最大音圧が、所定音圧値より大きくないと判断された場合、（Ｓ２６：ＮＯ）、周波数が変更されていない音声のデータが送信される（Ｓ３０）。この場合、音声のデータには、雑音のみの音声しか含まれていない、又は、所定音圧値より大きくなる音声が１つしか含まれていないので、複数の発言者の声が重なることがなく、周波数を変更しなくても容易に発言者の声を区別できるからである。
【００４５】
また、Ｓ２７において、Ｓ２５で取得された最大音圧の周波数のうち、Ｓ２６で所定音圧値より大きいと判断された最大音圧の周波数が、互いに第一範囲内（本実施形態では、２００Ｈｚの範囲内）ではない場合（Ｓ２７：ＮＯ）、周波数が変更されていない音声のデータが送信される（Ｓ３０）。この場合、複数の発言者の声の周波数が第一範囲以上離れているので、同時に発言した複数の発言者の声を区別することができる。
【００４６】
Ｓ１６の処理において、Ｓ２９及びＳ３０で全ての会議装置に音声のデータが送信されたと判断された場合（Ｓ１６：ＹＥＳ）。音声会議が終了されたか否かが判断される（Ｓ１７）。音声会議が終了されていないと判断された場合（Ｓ１７：ＮＯ）、処理はＳ１３に戻り、音声会議が継続される。ユーザが入力部１１７を介して音声会議を終了する指示を入力した場合、音声会議が終了されたと判断され（Ｓ１７：ＹＥＳ）、メイン処理が終了される。
【００４７】
以上のように本実施形態における処理が実行される。本実施形態では、複数の会議装置から送信された音声の周波数が互いに離間した状態になるように、音声の周波数が変更される（Ｓ２８、図５、及び図７）。音声の周波数が離間するため、音声の周波数が重なる場合（図４及び図６参照）に比べて、発言者の声を区別し易くなる。そして、周波数が変更された周波数変更音声が、Ｓ２２で選択された会議装置に送信される（Ｓ２９）。このため、送信先の会議装置が音声の周波数を変更する処理を行わなくても、ユーザは発言者の声を区別し易くなる。このように、音声制御装置１１（ＣＰＵ１１０）は、会議装置の種類に関わらず、ユーザが発言者の声を区別し易くすることができる。
【００４８】
また、Ｓ２２によって、画像のデータを受信している会議装置（ＰＣ２１）以外の会議装置（音声制御装置１１，１２、携帯電話３１、及び固定電話４１）が周波数変更音声を送信する対象となる会議装置として選択される（Ｓ２２：ＹＥＳ）。そして、周波数変更音声が送信される（Ｓ２９）。前述したように、会議の画像のデータを受信していない会議装置のユーザは、画像を見ることができないため、画像を見ながら会議をしているユーザに比べて、発言者の声を区別し難い。本実施形態では、発言者の声を区別し難いユーザが使用する会議装置に対して周波数変更音声を送信することができるので、発言者の声を区別し難いユーザ（音声制御装置１１，１２、携帯電話３１、及び固定電話４１のユーザ）が、発言者の声を区別し易くなる。また、音声を聞くだけなく、画像も見ることができ、発言者の声を区別し易いユーザ（ＰＣ２１を使用するユーザ）には、周波数を変更していない音声を送信することができる（Ｓ２２：ＮＯ、Ｓ３０）。よって、画像を見ているユーザは、周波数が変更されていない音声を聞きながら会議を行うことができる。
【００４９】
また、本実施形態では、会議装置毎の周波数における複数の最大音圧が所定音圧値より大きい場合（Ｓ２６：ＹＥＳ）、且つ、最大音圧の周波数が第一範囲内にある場合に（Ｓ２７：ＹＥＳ）、周波数を変更すると判断され、音声の周波数が変更される（Ｓ２９）。Ｓ１３で取得された音声中に発言者の声が含まれていなければ、最大音圧が所定音圧値以下となる。この場合には音声の周波数は変更されない。よって、Ｓ１３で取得された音声中に発言者の声が含まれていないにもかかわらず、周波数が変更されてしまうことが防止される。このように、発言者の声が含まれておらず、周波数を変更する必要のないときには、周波数の変更の処理が実行されない。よって、ＣＰＵ１１０の処理の負担が軽減される。また、発言者の声が含まれない音声には、図３に示す音声６０１，６０２のように、雑音のみが含まれている場合がある。しかし、雑音のみの音声の場合には周波数が変更されないので（Ｓ２６：ＮＯ、Ｓ３０）、雑音のみの音声の周波数が変更されてしまい、ユーザに違和感を与えてしまうことを防止できる。
【００５０】
また、本実施形態では、音声の周波数を変更する範囲が、第二範囲内に限定される。そして、本実施形態では、第二範囲は、人の声の周波数範囲に限定されている。このため、ＣＰＵ１１０がＳ２８で周波数を変更する場合に、人の声の周波数範囲より高い、或いは、低い周波数の音声に変更されてしまうことを防止することができる。よって、周波数変更音声が送信され（Ｓ３０）、スピーカから出力された場合に、ユーザは発言者の声を認識し易い。このため、ユーザは、発言者の声をさらに区別し易くなる。
【００５１】
本実施形態において、Ｓ１３の処理を行うＣＰＵ１１０が本発明の「音声取得手段」に相当し、Ｓ２４の処理を行うＣＰＵ１１０が本発明の「周波数取得手段」に相当する。Ｓ２６及びＳ２７の処理を行うＣＰＵ１１０が本発明の「変更判断手段」に相当し、Ｓ２２の処理を行うＣＰＵ１１０が本発明の「装置選択手段」に相当する。Ｓ２９の処理を行うＣＰＵ１１０が本発明の「第一音声送信手段」に相当し、Ｓ３０の処理を行うＣＰＵ１１０が本発明の「第二音声送信手段」に相当する。Ｓ１２の処理を行うＣＰＵ１１０が本発明の「特定手段」に相当する。
【００５２】
Ｓ１３の処理が本発明の「音声取得ステップ」に相当し、Ｓ２４の処理が本発明の「周波数取得ステップ」に相当する。Ｓ２６及びＳ２７の処理が本発明の「変更判断ステップ」に相当し、Ｓ２２の処理が本発明の「装置選択ステップ」に相当する。Ｓ２９の処理が本発明の「第一音声送信ステップ」に相当し、Ｓ３０の処理が本発明の「第二音声送信ステップ」に相当する。
【００５３】
なお、本発明は上記の実施形態に限定されるものではなく、種々の変更が可能である。例えば、Ｓ２８において周波数が変更された周波数変更音声の周波数は、図５に示す音声６０１，６０２、図７に示す音声６０３，６０４，６０５の場合に限定されない。例えば、音声６０１及び音声６０２のうちの少なくとも１つの周波数を変更してもよい。また、音声６０３，６０４，６０５のうち、少なくとも１つの周波数を変更してもよい。この場合、周波数を変更する音声の数が減るので、ＣＰＵ１１０の処理の負荷を軽減しつつ、発言者の声を区別し易くすることができる。また、最大音圧の周波数が第一範囲内である音声（例えば、図４に示す音声６０１，６０２又は図６に示す音声６０３，６０４，６０５）の周波数を変更する場合に、互いに離れた周波数（例えば、２００Ｈｚ以上離れた周波数）であれば、変更後の周波数は特に限定されない。
【００５４】
また、画像のデータを取得しているＰＣ２１に、周波数が変更される前の音声が送信され（Ｓ２２：ＮＯ、Ｓ３０）、画像のデータを取得していない音声制御装置１１，１２には、周波数変更音声が送信されていたが（Ｓ２２：ＹＥＳ、Ｓ２９）、これに限定されない。例えば、第一拠点１０にはＰＣ１３が存在するため、第一拠点１０にある音声制御装置１１，１２のユーザは、ＰＣ１３を使用して画像を見ることもできる。よって、画像を見ることができる拠点のユーザが使用する会議装置（音声制御装置１１，１２）には、周波数が変更される前の音声が送信されるようにしてもよい。
【００５５】
また、会議装置毎の周波数における複数の最大音圧が、予め設定された所定音圧値より大きい場合（Ｓ２６：ＹＥＳ）、且つ、最大音圧の周波数が第一範囲内にある場合に（Ｓ２７：ＹＥＳ）、周波数を変更すると判断され、音声の周波数が変更されていたが（Ｓ２９）、これに限定されない。例えば、Ｓ２６の処理を行わず、最大音圧の周波数が第一範囲内にある場合に（Ｓ２７：ＹＥＳ）、音声の周波数が変更されてもよい（Ｓ２９）。
【００５６】
また、最大音圧は、ある一時的な音圧レベルにおける最も音圧レベル大きい周波数でなくてもよい。例えば、ＣＰＵ１１０は、所定時間内（例えば、１秒間）に数回（例えば、１０回）、最大音圧を取得し、取得した最大音圧の平均値を最大音圧としてもよい。
【００５７】
また、会議用の画像のデータを取得している会議装置が特定され（Ｓ１２）、会議用の画像を取得していると特定された会議装置以外の会議装置が、周波数変更音声を送信する対象となる会議装置として選択されていたが（Ｓ２２：ＹＥＳ）、これに限定されない。例えば、音声制御装置１１のＣＰＵ１１０は、会議装置との接続種別を検出し、検出した接続種別に応じて、周波数変更音声を送信する対象となる会議装置を選択してもよい。以下、この変形例である第二実施形態について詳細に説明する。
【００５８】
図１０を参照して、接続種別データテーブル９５について説明する。接続種別データテーブル９５は、音声制御装置１１のフラッシュメモリ１１３に記憶されている。図１０に示すように、接続種別データテーブル９５には、接続種別と変更情報とが対応付けられている。接続種別は、インターネット網２２、携帯電話網３２、固定電話網４２、ディジーチェーン接続等である。なお、音声制御装置１１自身であることも接続種別に含める。変更情報は、周波数を変更する場合と変更しない場合を示すフラグである。接続種別「インターネット網２２」には、変更情報「０（周波数を変更しない）」が対応付けられ、接続種別「携帯電話網３２」「固定電話網４２」「ディジーチェーン接続」「音声制御装置１１自身」には、それぞれ、変更情報「１（周波数を変更する）」が対応付けられている。
【００５９】
図８及び図９を参照して、第二実施形態における処理について説明する。第二実施形態では、図８のＳ１２及び図９のＳ２２の処理のみが第一実施形態と異なるので、この点についてのみ詳述し、他の処理についての説明は省略する。第二実施形態におけるＳ１２では、会議装置との接続種別が検出される（Ｓ１２）。Ｓ１２では、例えば、音声制御装置１１が備える通信Ｉ／Ｆ１１６に含まれる通信用のジャック（図示外）のうち、いずれのジャックを介して通信を行っているのかが検出されることで、接続種別が検出される。例えば、ＣＰＵ１１０が、音声制御装置１１が備えるＬＡＮ（Ｌｏｃａｌ  Ａｒｅａ  Ｎｅｔｗｏｒｋ）ジャック（図示外）を介してＰＣ２１と通信を行っていれば、接続種別がインターネット網２２であることが検出される。
【００６０】
また、ＣＰＵ１１０が、音声制御装置１１が備えるＵＳＢ（Ｕｎｉｖｅｒｓａｌ  Ｓｅｒｉａｌ  Ｂｕｓ）ジャック（図示外）を介して携帯電話３１と通信を行っていれば、接続種別が携帯電話網３２であることが検出される。また、ＣＰＵ１１０が、音声制御装置１１が備えるモジュラージャック（図示外）を介して固定電話４１と通信を行っていれば、接続種別が固定電話網４２であることが検出される。また、ＣＰＵ１１０が、音声制御装置１１が備えるディジーチェーン接続用ジャック（図示外）を介して音声制御装置１２と通信を行っていれば、接続種別がディジーチェーン接続であることが検出される。検出された接続種別は、ＲＡＭ１１２に記憶される。
【００６１】
Ｓ２２では、フラッシュメモリ１１３に記憶された予め設定された条件である接続種別データテーブル９５が参照され、Ｓ１４で選択された会議装置が、周波数変更音声を送信する対象となる会議装置であるか否かが判断される（Ｓ２２）。例えば、Ｓ１４で選択された会議装置が、ＰＣ２１であるとする。ＰＣ２１は、Ｓ１２において接続種別「インターネット網２２」と検出されている。このため、接続種別データテーブル９５が参照され、接続種別「インターネット網２２」に対応する変更情報「０（周波数を変更しない）」が特定される。この場合、周波数変更音声を送信する対象となる会議装置でないと判断され（Ｓ２２：ＮＯ）、周波数が変更される前の音声がＰＣ２１に送信される（Ｓ３０）。
【００６２】
同様に、Ｓ１４で選択された会議装置が、固定電話４１である場合、接続種別データテーブル９５が参照され、接続種別「固定電話網４２」に対応する変更情報「１（周波数を変更する）」が特定される。この場合、周波数変更音声を送信する対象となる会議装置であると判断され（Ｓ２２：ＹＥＳ）、周波数変更音声が固定電話４１に送信される（Ｓ２９）。このように、Ｓ２２では、Ｓ１２において検出された接続種別に応じて、周波数変更音声を送信する対象となる会議装置が選択されている。
【００６３】
以上のように、第二実施形態における処理が実行される。接続種別は、各ユーザが使用する会議装置の種類と関連している。このため、接続種別に応じて周波数変更音声を送信する対象となる会議装置を選択することで、発言者の声を区別し難い種類の会議装置に周波数変更音声を送信することができる。例えば、接続種別が「固定電話網４２」であれば、第四拠点４０が使用する会議装置は固定電話４１である。固定電話４１は、画像で他のユーザを確認することができないので、或いは、アナログ信号で通信される固定電話網４２では信号の劣化によって明瞭な声が聞けない場合があるので、発言者の声を区別し難い種類の会議装置である。このため、接続種別データテーブル９５では、変更情報「１（周波数を変更する）」に対応付けられている。よって、固定電話４１に対して周波数変更音声を送信することができ（Ｓ２２：ＹＥＳ、Ｓ２９）、固定電話４１を使用しているユーザは、発言者の声を区別し易くなる。また、発言者の声を区別し易い種類の会議装置（例えば、画像を見ることができるＰＣ２１）には、周波数を変更しない音声を送信することができる（Ｓ２２：ＮＯ、Ｓ３０）。よって、発言者の声を区別し易い種類の会議装置であるＰＣ２１を使用しているユーザは、周波数が変更されていない音声を聞きながら会議を行うことができる。
【符号の説明】
【００６４】
１    会議システム
１１，１２    音声制御装置
１４，３１    携帯電話
３１    携帯電話
４１    固定電話
９５    接続種別データテーブル
１１０    ＣＰＵ
６０１，６０２，６０３，６０４，６０５    音声
【図１】
0005870819.tif 000002
【図２】
0005870819.tif 000003
【図３】
0005870819.tif 000004
【図４】
0005870819.tif 000005
【図５】
0005870819.tif 000006
【図６】
0005870819.tif 000007
【図７】
0005870819.tif 000008
【図８】
0005870819.tif 000009
【図９】
0005870819.tif 000010
【図１０】
0005870819.tif 000011